(57)【要約】【課題】ランプユニットに対する着脱が簡単に行え、かつランプユニットに対するランプの位置決め精度の高い構造を備えたフランジ付ランプ、そのフランジ付ランプを備えた光源ユニットおよび光源装置を提供する。【解決手段】フランジ付ランプ２５は、光を放射する放電管１０と、その放電管１０に固定された位置決めフランジ１５とを有する。位置決めフランジ１５は、放電管１０に固定されている円筒状の首部１６と、首部１６に固定されかつ首部１６よりも径の大きい鍔部１７とを有し、首部１６に複数の位置決め突起１８ａ，１８ｃが形成されている。【選択図】図２
2010086795.tif 000002
【特許請求の範囲】
【請求項１】
光を放射する放電管と、該放電管に固定された位置決めフランジとを有するフランジ付ランプであって、
前記位置決めフランジは、前記放電管に固定されている円筒状の首部と、該首部に固定されかつ該首部よりも径の大きい鍔部とを有し、
前記首部に複数の位置決め突起が形成されていることを特徴とするフランジ付ランプ。
【請求項２】
前記複数の位置決め突起は、前記首部の周方向等間隔に配置され、かつ太さの異なる棒状に形成されていることを特徴とする請求項１記載のフランジ付ランプ。
【請求項３】
前記首部における前記鍔部と前記複数の位置決め突起との間に遊嵌されたばね部材を更に有することを特徴とする請求項１または２記載のフランジ付ランプ。
【請求項４】
前記ばね部材は、円環状薄板を周方向に沿って凹凸を繰り返す波板状に形成した板ばね構造を有することを特徴とする請求項４記載のフランジ付ランプ。
【請求項５】
フランジ付ランプと、該フランジ付ランプが装着されるランプハウスとを有する光源ユニットであって、
前記フランジ付ランプは、光を放射する放電管と、該放電管に固定された位置決めフランジとを有し、
前記位置決めフランジは、前記放電管に固定されている円筒状の首部と、該首部に固定されかつ該首部よりも径の大きい鍔部とを有し、更に前記首部に複数の位置決め突起が形成され、
前記ランプハウスは、円筒状のフランジ保持部を有し、前記複数の位置決め突起が係合する突起係合部が前記フランジ保持部における前記複数の位置決め突起それぞれに対応した位置に形成されていることを特徴とする光源ユニット。
【請求項６】
前記複数の位置決め突起は、前記首部の周方向等間隔に配置され、かつ太さの異なる棒状に形成されていることを特徴とする請求項５記載の光源ユニット。
【請求項７】
前記フランジ付ランプは、前記首部における前記鍔部と前記複数の位置決め突起との間に遊嵌されたばね部材を更に有し、該ばね部材は、円環状薄板を周方向に沿って凹凸を繰り返す波板状に形成した板ばね構造を有することを特徴とする請求項５または６記載の光源ユニット。
【請求項８】
前記突起係合部は、前記フランジ保持部のうちの前記鍔部と対向するフランジ受面につながり、前記複数の位置決め突起それぞれに対応した大きさの突起案内路と、該突起案内路につながる突起係止部とを有することを特徴とする請求項５〜７のいずれか一項記載の光源ユニット。
【請求項９】
前記突起案内路は、前記フランジ受面の直交方向に伸びる第１の案内路と、該第１の案内路から前記フランジ受面からみて斜め方向に伸びる第２の案内路とを有し、
前記突起係止部は、前記第２の案内路よりも前記フランジ受面側に拡張されていることを特徴とする請求項８記載の光源ユニット。
【請求項１０】
前記フランジ付ランプの前記位置決めフランジを前記フランジ保持部に装着したときに、前記フランジ付ランプの前記鍔部と、前記フランジ保持部の前記フランジ受面とによって前記ばね部材が押圧されるように構成されていることを特徴とする請求項７〜９のいずれか一項記載の光源ユニット。
【請求項１１】
前記ランプハウスは、前記フランジ保持部にばね部材が組み込まれ、該ばね部材は、円環状薄板を周方向に沿って凹凸を繰り返す波板状に形成した板ばね構造を有することを特徴とする請求項５または６記載の光源ユニット。
【請求項１２】
請求項５〜１１のいずれか一項記載の光源ユニットと、
前記光源ユニットを収納するハウジングとを有することを特徴とする光源装置。
【発明の詳細な説明】
【技術分野】
【０００１】
本発明は位置決めフランジを備えたフランジ付ランプ、光源ユニットおよび光源装置に関する。
【背景技術】
【０００２】
従来、キセノンランプ等を備えた光源装置が知られている。この種の光源装置ではランプが寿命をむかえるたびにランプを交換する必要があるため、ランプを光源装置に着脱できるような構造を備えていた。ところが、ランプの交換作業が煩雑なものであったため、従来、ランプの交換を容易に行えるようにした光源装置が知られていた（例えば特許文献1参照）。
【特許文献１】特開２００１−１７６３０４号公報
【発明の開示】
【発明が解決しようとする課題】
【０００３】
前述した特許文献１記載の光源装置は、ランプユニット（ランプハウスともいう）を有し、そのランプユニットにランプを装着するようになっている。ランプは円筒状の首部と鍔部とを備えた位置決めフランジを有し、一方、ランプユニットは位置決めフランジの首部よりもわずかに径の大きいフランジ保持部を有している。
【０００４】
特許文献１記載の光源装置では、位置決めフランジの首部をフランジ保持部に挿入することによって、ランプユニットに対するランプの上下および左右方向の位置決めが行われ、フランジ保持部の内側に突出するネジの先端部分を首部の位置決め凹部に嵌め合わせることによって、ランプユニットに対するランプの円周方向の位置決めが行われるようになっている。
【０００５】
しかし、ネジの先端部分を位置決め凹部に嵌め合わせる際、首部をフランジ保持部に挿入しておかねばならず、先端部分と位置決め凹部との嵌め合わせを双方の位置を目視で確認しながら行えなかったため、ランプユニットに対するランプの円周方向の位置決めに手間取るという課題があった。また、キャップ状の固定部材をランプにかぶせることによってランプを固定していたため、ランプの着脱に合せて固定部材も着脱しなければならなかった。さらに、ネジの先端部分を位置決め凹部に嵌め合わせやすくするため、先端部分の寸法と位置決め凹部の寸法とに相違（あそび）を持たせる必要があり、そのため、ランプの円周方向の位置決め精度を高められないという課題もあった。
【０００６】
そこで、本発明は上記課題を解決するためになされたもので、ランプユニットに対する着脱が簡単に行え、かつランプユニットに対するランプの位置決め精度の高い構造を備えたフランジ付ランプ、そのフランジ付ランプを備えた光源ユニットおよび光源装置を提供することを目的とする。
【課題を解決するための手段】
【０００７】
上記課題を解決するため、本発明は、光を放射する放電管と、その放電管に固定された位置決めフランジとを有するフランジ付ランプであって、位置決めフランジは、放電管に固定されている円筒状の首部と、その首部に固定されかつその首部よりも径の大きい鍔部とを有し、首部に複数の位置決め突起が形成されているフランジ付ランプを特徴とする。
【０００８】
このフランジ付ランプは、首部に位置決め突起が形成されているから、位置決め突起を目視で確認しながらフランジ保持部への位置合わせを行える。また、位置決め突起が複数形成されているから、フランジ保持部に位置合わせしたあと、位置ずれが起こり難い。
【０００９】
また、複数の位置決め突起は、首部の周方向等間隔に配置され、かつ太さの異なる棒状に形成され、鍔部の周側面にシボ加工が施されているようにすることができる。
【００１０】
こうすると、フランジ付ランプを装着する際、鍔部を回転させるときに加える力を各位置決め突起にバランスよく加えることができ、しかも、鍔部の周側面にシボ加工が施されているから手が滑りにくい。
【００１１】
さらに、上記フランジ付ランプは、首部における鍔部と複数の位置決め突起との間に遊嵌されたばね部材を更に有するようにすることができる。
【００１２】
こうすると、フランジ付ランプとばね部材とが一体となって構成され、そのフランジ付ランプをフランジ保持部に装着したときに鍔部でばね部材を押圧することができる。
【００１３】
また、ばね部材は、円環状薄板を周方向に沿って凹凸を繰り返す波板状に形成した板ばね構造を有するようにすることができる。
【００１４】
そして、本発明は、フランジ付ランプと、そのフランジ付ランプが装着されるランプハウスとを有する光源ユニットであって、フランジ付ランプは、光を放射する放電管と、その放電管に固定された位置決めフランジとを有し、位置決めフランジは、放電管に固定されている円筒状の首部と、その首部に固定されかつその首部よりも径の大きい鍔部とを有し、更に首部に複数の位置決め突起が形成され、ランプハウスは、円筒状のフランジ保持部を有し、複数の位置決め突起が係合する突起係合部がフランジ保持部における複数の位置決め突起それぞれに対応した位置に形成されている光源ユニットを提供する。
【００１５】
この光源ユニットは各位置決め突起を各突起係合部に位置合わせした上で係合させることによって、フランジ付ランプをランプハウスに装着することができる。
【００１６】
上記光源ユニットにおいて、複数の位置決め突起は、首部の周方向等間隔に配置され、かつ太さの異なる棒状に形成され、鍔部の周側面にシボ加工が施されていることが好ましい。
【００１７】
また、フランジ付ランプは、首部における鍔部と複数の位置決め突起との間に遊嵌されたばね部材を更に有し、そのばね部材は、円環状薄板を周方向に沿って凹凸を繰り返す波板状に形成した板ばね構造を有するようにすることができる。
【００１８】
さらに、突起係合部は、フランジ保持部のうちの鍔部と対向するフランジ受面につながり、複数の位置決め突起それぞれに対応した大きさの突起案内路と、その突起案内路につながる突起係止部とを有するようにすることができる。
【００１９】
こうすると、各位置決め突起をそれぞれの突起係合部において、突起案内路を経て突起係止部に案内して突起係止部に係止させることができる。
【００２０】
この場合、突起案内路はフランジ受面の直交方向に伸びる第１の案内路と、その第１の案内路からフランジ受面からみて斜め方向に伸びる第２の案内路とを有し、突起係止部は、第２の案内路よりもフランジ受面側に拡張されていることが好ましい。
【００２１】
こうすることによって、位置決め突起を突起係止部に係止させたときその位置決め突起をフランジ受面側に位置させることができる。
【００２２】
そして、フランジ付ランプの位置決めフランジをフランジ保持部に装着したときに、フランジ付ランプの鍔部と、フランジ保持部のフランジ受面とによってばね部材が押圧されるように構成されているようにすることができる。
【００２３】
こうすると、フランジ付ランプをフランジ保持部に装着できたときに、ばね部材を付勢してその付勢力がフランジ付ランプの鍔部にかかるようにすることができる。
さらに、ランプハウスは、フランジ保持部にばね部材が組み込まれ、そのばね部材は、円環状薄板を周方向に沿って凹凸を繰り返す波板状に形成した板ばね構造を有するようにすることもできる。
【００２４】
そして、本発明は、上記いずれかの光源ユニットと、光源ユニットを収納するハウジングとを有する光源装置を提供する。
【発明の効果】
【００２５】
以上のように本発明によれば、ランプユニットに対する着脱が簡単に行え、かつランプユニットに対するランプの位置決め精度の高い構造を備えたフランジ付ランプ、そのフランジ付ランプを備えた光源ユニットおよび光源装置が得られる。
【発明を実施するための最良の形態】
【００２６】
以下、添付図面を参照して本発明の実施形態について説明する。なお、図面の説明において同一の要素には同一の符号を付し、重複する説明は省略する。
【００２７】
（第１の実施形態）
図１は本発明の実施形態に係る光源装置１のカバーを取り外した状態の斜視図、図２はフランジ付ランプ２５の正面図、図３はランプハウス３０の正面図である。光源装置１はハウジング２と光源ユニット４を有している。ハウジング２は光源ユニット４を収納する直方体状に形成され、かつ図示しないカバーを着脱可能になっている。また、ハウジング２は平坦な板状のランプベース３を有し、そのランプベース３がカバーを取り外したときにハウジング２の出射面１ａからみて後ろ側に出現する。そして、ランプベース３上に光源ユニット４が固定されている。さらに、ハウジング２は出射面１ａに出射口５を有している。出射口５にはファイバ等の図示しないライトガイドが接続される。
【００２８】
そして、光源ユニット４は、フランジ付ランプ２５とランプハウス３０とを有し、フランジ付ランプ２５をランプハウス３０に装着および取り外しできるようになっている。
【００２９】
フランジ付ランプ２５は放電管１０と、位置決めフランジ１５とを有し、放電管１０のアノード電極側に留め具２４を用いて位置決めフランジ１５を固定した構造を有している。放電管１０は不活性ガス（例えばキセノンガス）が封入され、放電によって光を出射する。
【００３０】
位置決めフランジ１５は、図４、図５、図６に詳しく示すように首部１６と、鍔部１７とを有している。首部１６は円筒状に形成され、その内側に放電管１０のアノード電極側部分が挿入されるようになっていて、軸方向一端側端面に鍔部１７が固定されている。
【００３１】
また、首部１６はその周側面１６ａに形成された、上下左右および周方向の位置決めに用いる位置決め突起としての３本の位置決めピン１８ａ，１８ｂ，１８ｃを有している。位置決めピン１８ａ，１８ｂ，１８ｃは、周側面１６ａにおける下端面１６ｂからの高さが等しい部分において周方向等間隔に配置されている。そして、位置決めピン１８ａ，１８ｃは太さの等しい棒状に形成されており、位置決めピン１８ｂだけが他の２本の１８ａ，１８ｃよりも太さの太い棒状に形成されている。すなわち、位置決めピン１８ａ、１８ｃの太さ（直径）をａ１とし、位置決めピン１８ｂの太さ（直径）をａ２としたときに、ａ１＜ａ２となっている。
【００３２】
鍔部１７は首部１６よりも径の大きい円板状に形成されていて、その周側面１７ａにシボ加工が施されている。また、鍔部１７は首部１６の固定されていない外側表面の中央部分に留め具２４の嵌め込み凹部１７ｂが形成され、その中央に挿通孔１７ｃが形成されている。
【００３３】
そして、留め具２４の螺子部分を挿通孔１７ｃに挿通して首部１６に挿入されている放電管１０のアノード電極側に固定することによって、放電管１０と、位置決め位置決めフランジ１５とが一体となってフランジ付ランプ２５を構成している。放電管１０を量産する（複数製造する）場合、それぞれの発光点の位置にはどうしてもばらつきが生じる。しかしながら、どの放電管１０であろうとランプハウス３０に装着したときには出射光の届く位置をすべて一致させねばならない。そのため、フランジ付ランプ２５は、発光点の位置のばらつきに基づく位置調整を行った上で位置決めフランジ１５が固定されている。そのため、どの放電管１０をランプハウス３０に装着しても正確に位置決めされることになる。
【００３４】
次に、ランプハウス３０は、概ね直方体状に形成されたハウス本体部３１と、フランジ保持部３３とを有し、ハウス本体部３１の上面３１ｄにフランジ保持部３３が固定されて構成されている。ハウス本体部３１は、前面３１ａと、左側面３１ｂ、右側面３１ｃと、後面３１ｅとを有している。前面３１ａは、中央に出射口３２が形成されている。上面３１ｄには図７に示すように挿通孔３１ｆが形成され、この挿通孔３１ｆを囲むようにしてフランジ保持部３３が固定されている。フランジ保持部３３は装着されたフランジ付ランプ２５からの出射光が所望の位置に届くように位置決めして、上面３１ｄに固定されている。そして、挿通孔３１ｆの周縁部分と、後述する円筒部３４の凹部３４ｂとの間に後述するばね部材４０が組み込まれている。
【００３５】
フランジ保持部３３は、図７、８、９に詳しく示すように、首部１６の大きさ（径の大きさと高さ）に応じた円筒部３４を有し、その円筒部３４に３つの突起係合部３５，３６，３７が形成された構造を有し、さらにアノード側のリード線８０（図７，８，９には図示せず）が接続されている。突起係合部３５，３６，３７は、円筒部３４における軸方向上側のフランジ受面３４ａに形成されている。また、突起係合部３５，３６，３７は、フランジ受面３４ａの、３つの位置決めピン１８ａ，１８ｃ，１８ｂのそれぞれに対応した位置に形成されている。突起係合部３５，３６，３７は共通した形状を有するが、突起係合部３５，３６は位置決めピン１８ａ，１８ｃに対応し、突起係合部３７は位置決めピン１８ｂに対応している。突起係合部３５，３６には位置決めピン１８ａ，１８ｃが係合するも位置決めピン１８ｂは係合不能であり、位置決めピン１８ｂは突起係合部３７に係合可能となっている。なお、図８に示すように、位置決めピン１８ｂを突起係合部３７に位置合わせしやすくするため、フランジ受面３４ａの突起係合部３７付近に位置合わせの目安となるマーカＰを付してもよい。マーカＰは、位置決めピン１８ｂを突起係合部３７に位置合わせのするときの目安となる。
【００３６】
そして、突起係合部３５，３６，３７のうち突起係合部３７について詳しく説明すると次のとおりである。突起係合部３７は図７に示すように第１の案内路３７ａと第２の案内路３７ｂと、突起係止部３７ｃとを有している。第１の案内路３７ａは、フランジ受面３４ａを直交方向に部分的に除去するなどして形成された凹部であって、位置決めピン１８ｂよりもやや大きい幅を有し、第２の案内路３７ｂとともに位置決めピン１８ｂを突起係止部３７ｃまで案内する突起案内路を構成している。第２の案内路３７ｂは、第１の案内路３７ａにつながり、フランジ受面３４ａから離れるような斜め方向にフランジ受面３４ａを除去する等して形成されている。突起係止部３７ｃは、第２の案内路３７ｂの先端部分につながる部分であって、フランジ受面３４ａ側に拡張して形成された円弧状係止面を有している。突起係止部３７ｃと第２の案内路３７ｂの間の凸状部３７ｄとの位置関係をみると、円弧状係止面は凸状部３７ｄよりもフランジ受面３４ａ側に位置した部分を有している。さらに、突起係止部３７ｃの円弧状係止面はその曲率半径が位置決めピン１８ｂよりもやや大きい大きさになっている。
【００３７】
そして、ばね部材４０は、円環状の薄板からなる。本実施形態のばね部材４０は円環状の薄板を周方向に沿って凹凸を繰り返す波板状に形成して得られる板ばね構造を有している。なお、円環状の薄板からなるバネ部材として、スプリングワッシャーや皿バネにしても良い。ただし、周方向に沿って凹凸を繰り返す波板状のばね部材や皿バネは円周方向に沿って均等の応圧力を得ることができるので放電管装着の安定性が増す。
【００３８】
次に、フランジ付ランプ２５をランプハウス３０に装着するときの手順および取り外すときの手順と、その際のそれぞれの動作について説明する。
【００３９】
まず、フランジ付ランプ２５をランプハウス３０に装着するときはフランジ付ランプ２５の位置決めフランジ１５の鍔部１７を指でつまみ、放電管１０をランプハウス３０のフランジ保持部３３の円筒部３４に外側から挿入する。リード線９０は、放電管１０のカソード端子２１に予め接続してもよいし、挿入後にリード線９０をカソード端子２１に接続してもよい。
【００４０】
首部１６は、円筒部３４に対応した大きさを有するので、首部１６を円筒部３４に挿入することができる。その際、首部１６は周側面に位置決めピン１８ａ，１８ｂ，１８ｃを有し、円筒部３４はフランジ受面３４ａに突起係合部３５，３６，３７が形成されているので、位置決めピン１８ａ，１８ｂ，１８ｃと、突起係合部３５，３６，３７の位置を目視で確認しながら各位置決めピン１８ａ，１８ｃ，１８ｂをそれぞれに対応した突起係合部３５，３６，３７に位置合わせすることができる。また、フランジ受面３４ａに付されたマーカＰがあれば、マーカＰを確認することによって位置合わせは容易となる。
【００４１】
このとき、位置決めピン１８ａ，１８ｃと、位置決めピン１８ｂとは太さが異なり（位置決めピン１８ｂが位置決めピン１８ａ，１８ｃよりも太い）、また、突起係合部３５，３６が位置決めピン１８ａ，１８ｃに対応した大きさを有し、突起係合部３７が位置決めピン１８ｂに対応した大きさを有する。そのため、位置決めピン１８ａ，１８ｃを突起係合部３５，３６に位置合せでき、かつ位置決めピン１８ｂを突起係合部３７に位置合せできたとき（以下このときの位置合わせを「適正位置合わせ」という）だけ位置決めピン１８ａ，１８ｂ、１８ｃを突起係合部３５，３６、３７に挿入することができる。位置決めピン１８ａ，１８ｂ、１８ｃの周方向の位置関係と突起係合部３５，３６、３７の周方向の位置関係とは一致しているので、上記以外の位置合わせ（例えば、位置決めピン１８ｂが突起係合部３５に位置する格好の位置合わせ、以下「不適正位置合わせ」という）も可能であるが、位置決めピン１８ｂの太さが突起係合部３５、３６の大きさよりも太くて挿入不能なので、不適正位置合わせでは、位置決めピン１８ａ，１８ｂ、１８ｃの３本とも突起係合部３５，３６，３７に挿入することはできない。
【００４２】
そして、前述した適正位置合わせを行うと位置決めピン１８ａ，１８ｂ，１８ｃを突起係合部３５，３７，３６に挿入できるようになるが、位置合わせ後、鍔部１７から指を離すと、位置決めピン１８ａ，１８ｂ，１８ｃが突起係合部３５，３７、３６に入って突起係合部３５，３７、３６内に係止した状態になる。ここで、位置決めピン１８ｂについて、突起係合部３７に入り始めたときを図示すると図１０（ａ）のようになり、鍔部１７から指を離したときを図示すると図１０（ｂ）のようになる。
【００４３】
鍔部１７から指を離すと、位置決めピン１８ｂはフランジ付ランプ２５とともに、方向ｆ１に進み（フランジ付ランプ２５が垂直方向に挿入される場合は重力によって落下する）、第１の案内路３７ａを通って第２の案内路３７ｂの入り口付近で停止する。
【００４４】
位置決めピン１８ａ，１８ｂ、１８ｃが突起係合部３５，３７、３６に挿入されたことによって首部１６の下端面１６ｂがばね部材４０に接触するようになるが、その状態のまま、周側面１７ａを指でつまみながら鍔部１７を時計回りに少し回転させる。このとき、鍔部１７の周側面１７ａにシボ加工が施されているので、鍔部１７を回転させる際に指がすべり難く、鍔部１７を確実に回転させることができる。また、位置決めピン１８ａ，１８ｂ、１８ｃが周方向等間隔に形成されているから、鍔部１７を回転させるときに加える力をバランスよく位置決めピン１８ａ，１８ｂ、１８ｃに加えることができる。
【００４５】
すると、図１０（ｃ）に示すように、位置決めピン１８ｂが方向ｆ２で示すように第２の案内路３７ｂの奥側に進む。そうすると、首部１６が円筒部３４に深く嵌まり込むため、下端面１６ｂによってばね部材４０が押さえ付けられ、ばね部材４０に付勢力が発生する。この付勢力は下端面１６ｂを上方向に持ち上げ、首部１６を円筒部３４からはずそうとする方向に作用する。そのため、鍔部１７をさらに回転させて位置決めピン１８ｂを第２の案内路３７ｂの終点まで移動させたとき、ばね部材４０により首部１６が押し上げられ、それにより、図１０（ｄ）に示すように、位置決めピン１８ｂが方向ｆ３に動いて突起係止部３７ｃの円弧状係止面に押し付けられて係止する。
【００４６】
以上の手順によってフランジ付ランプ２５のランプハウス３０への装着が完了し、それにより、図１１に示すように、フランジ付ランプ２５とランプハウス３０とが一体化される。こうして、フランジ付ランプ２５をランプハウス３０に装着したときにフランジ付ランプ２５のランプハウス３０に対する上下左右および周方向の位置決めがなされ、かつフランジ付ランプ２５の位置が固定されるようになる。そして、フランジ付ランプ２５について、このような位置決めがなされることによって、放電管１０から放出される出射光が出射口３２を通って出力され、決められた位置を照射するようになる。
【００４７】
位置決めピン１８ｂが突起係止部３７ｃに係止する最終係止状態が得られたときに、フランジ付ランプ２５のランプハウス３０への装着が完了する。最終係止状態は、鍔部１７を周方向に回転させたときの最終段階で得られるものであり、最終係止状態では、フランジ付ランプ２５のランプハウス３０に対する上下左右はもとより周方向の位置も決めることができる。しかしながら、突起係止部３７ｃの円弧状係止面と位置決めピン１８ｂとの曲率半径が異なり、前者の方が後者よりも大きいため、最終係止状態では、図１０（ｄ）に示すように、位置決めピン１８ｂの表面のごく狭い領域が突起係止部３７ｃに係止しており、したがって、最終係止状態は、フランジ付ランプ２５とランプハウス３０との位置関係がごく限られた範囲内にあるときにだけ形成される。そのため、最終係止状態においてフランジ付ランプ２５とランプハウス３０との位置関係が最適なものとなるよう、位置決めフランジ１５、フランジ保持部３３それぞれの位置決めをしておけばよく、そうすることで、フランジ付ランプ２５のランプハウス３０に対する上下左右および周方向の位置決めは極めて精度の高いものとすることができる。突起係合部３７は、その入り口となる第１の案内路３７ａの幅を位置決めピン１８ｂよりもやや大きくしてあるため、位置決めピン１８ｂを挿入しやすく、したがって、光源ユニット４はフランジ付ランプ２５の着脱作業を行いやすくなっているが、前述した構造を有することで、フランジ付ランプ２５のランプハウス３０に対する上下左右および周方向の位置決め精度を高められるようになっている。
【００４８】
そして、放電管１０は、キセノンガスを封入したときに形成される突起部１９を有するが（図２参照）、この突起部１９は光がまっすぐ透過せずに影を形成する。そのため、光源ユニット４では、前述の位置決めによって、突起部１９がランプハウス３０の角部に位置して出射口３２を向かないようにしている。
【００４９】
また、フランジ付ランプ２５をランプハウス３０に装着する際、位置決めピン１８ａ，１８ｂ，１８ｃと、突起係合部３５，３７，３６を目視で確認しながら作業を行えるので、双方の位置合わせに手間取るようなことはなく、フランジ付ランプ２５の位置合わせを簡単に行うことができる。とりわけ、フランジ受面３４ａにマーカＰを形成していれば、位置合わせをより簡単に行うことができる。その位置合わせは３つの位置決めピン１８ａ，１８ｂ，１８ｃを用いて行われているから、位置合わせした後の位置がずれ難くなっている。
【００５０】
さらに、光源ユニット４では、フランジ付ランプ２５をランプハウス３０に装着してその装着状態を固定するのにキャップ部材のような他の部材は一切必要とされない。その上、フランジ付ランプ２５をランプハウス３０から取り外すときも、鍔部１７を反時計回りに回転させることによって位置決めピン１８ａ、１８ｂ、１８ｃの突起係合部３５、３７、３６への係合を解除し、その後、鍔部１７を指でつまんでフランジ付ランプ２５を上に持ち上げればよいので、フランジ付ランプ２５は取り外しも簡単に行える。したがって、光源ユニット４では、フランジ付ランプ２５の交換作業を簡単に行うことができる。
【００５１】
しかも、フランジ付ランプ２５のランプハウス３０への装着が完了すると、ばね部材４０に発生する付勢力を首部１６が受けることによって位置決めピン１８ｂが突起係止部３７ｃに係止するようになる（位置決めピン１８ａ，１８ｃについても同様）。そのため、光源ユニット４では、フランジ付ランプ２５の位置決め状態を確実に保持することができる。
【００５２】
前述したように、フランジ付ランプ２５の装着状態では、位置決めピン１８ｂがばね部材４０の付勢力を受けながら突起係止部３７ｃの円弧状係止面に係止している。円弧状係止面は、凸状部３７ｄよりもフランジ受面３４ａ側に位置しているので、ある程度の力を加えながら鍔部１７を反時計回りに回転させないかぎり、位置決めピン１８ｂは凸状部３７ｄを乗り越えられない。そのため、フランジ付ランプ２５の装着状態はしっかりしたものとなっている（位置決めピン１８ａ，１８ｃについても同様）。
【００５３】
しかし、位置決めピン１８ｂが凸状部３７ｄを乗り越えられるだけの力を加えながら鍔部１７を反時計回りに回転させると位置決めピン１８ｂが凸状部３７ｄを乗り越えて突起係止部３７ｃを脱出する。それに伴い、ばね部材４０の付勢力によって首部１６が持ち上げられるため、位置決めピン１８ｂが第２の案内路３７ｂを経て第１の案内路３７ｂに至る。したがって、光源ユニット４では、位置決めピン１８ｂの突起係止部３７ｃへの係止状態を容易に解除することができ、フランジ付ランプ２５をランプハウス３０から比較的簡単に取り外すことができる。
【００５４】
（第２の実施形態）
次に、第２の実施形態に係る光源ユニット１４について、図１２〜図２１を参照して説明する。本実施形態に係る光源ユニット１４は、第１の実施形態に係る光源ユニット４と比較して、フランジ付ランプ２６とランプハウス３８を有する点で相違し、他は同じ構成を有している。
【００５５】
フランジ付ランプ２６は第１の実施形態に係るフランジ付ランプ２５と比較して、ばね部材４０を有する点で相違している。ランプハウス３８は第１の実施形態に係るランプハウス３０と比較して、ばね部材４０を有しない点で相違している。
【００５６】
フランジ付ランプ２６は位置決めフランジ１５と放電管１０とを有する。しかし、図１２、図１４，１５に示すように、位置決めフランジ１５は、首部１６と鍔部１７とを有し、鍔部１７と位置決めピン１８ａ，１８ｂ、１８ｃとの間において、前述したばね部材４０が首部１６に遊嵌されている。ばね部材４０は前述したとおりの板ばね構造を有し、位置決めピン１８ａ、１８ｂ、１８ｃに係止した状態で首部１６に遊嵌されている。
【００５７】
ランプハウス３８は図１７、図１８に示すように、ランプハウス３０と同様に円筒部３４に突起係合部３５，３６，３７が形成されている。しかし、ランプハウス３８は円筒部３４の内側にばね部材４０が組み込まれてなく、この点でランプハウス３０と相違している。
【００５８】
そして、第２の実施形態に係る光源ユニット１４も、フランジ付ランプ２６をランプハウス３８に装着するときは、位置決めフランジ１５の鍔部１７を指でつまみ、放電管１０をランプハウス３８の円筒部３４に上側から挿入する。この場合も、放電管１０はそのカソード端子２１に予めリード線９０が接続されている。
【００５９】
すると、首部１６は、円筒部３４に対応した大きさを有するので、首部１６を円筒部３４に挿入することができる。その際、前述したとおりの適正位置合せができたときだけ位置決めピン１８ａ，１８ｂ、１８ｃを突起係合部３５，３７、３６に挿入することができる。
【００６０】
そして、適正位置合わせを行った後、鍔部１７から指を離したときの状態が図１９に示されている。フランジ付ランプ２６では、ばね部材４０が首部１６における鍔部１７と位置決めピン１８ａ，１８ｂ、１８ｃとの間に遊嵌されているので、適正位置合わせの行われた時点でばね部材４０が鍔部１７とフランジ受面３４ａとに接触して双方に挟まれる格好になる。
【００６１】
続いて鍔部１７を時計回りに回転させると、位置決めピン１８ａ，１８ｂ、１８ｃがそれぞれ突起係合部３５，３７、３６の奥側に進み、それに伴い、鍔部１７と、フランジ受面３４ａとの間隔が狭まるため、ばね部材４０が鍔部１７の張り出し面１７ｄと、フランジ受面３４ａとによって押圧される。その結果、ばね部材４０に付勢力が発生する。この付勢力は鍔部１７を押し上げ、首部１６を円筒部３４からはずそうとする方向に作用する。そのため、鍔部１７をさらに回転させて図２０に示すように位置決めピン１８ｂを第２の案内路３７ｂの終点まで移動させたとき、ばね部材４０により首部１６が押し上げられ、それにより、位置決めピン１８ｂが突起係止部３７ｃの円弧状係止面に押し付けられて係止し、光源ユニット４と同様の最終係止状態が形成される。なお、図２０では、位置決めピン１８ｂのみ示し他の位置決めピンは図示を省略している。
【００６２】
このようにして、フランジ付ランプ２６をランプハウス３８に装着することができ、それにより、図２１に示すように、フランジ付ランプ２６とランプハウス３８とが一体化される。フランジ付ランプ２６のランプハウス３８への装着により、フランジ付ランプ２６のランプハウス３８に対する位置決めは、第１の実施形態と同様、上下左右および周方向いずれについても正確に行われ、かつその位置決めは極めて高精度である。
【００６３】
また、位置決めが行われた際、ばね部材４０の付勢力を首部１６が受けることによって位置決めピン１８ｂが突起係止部３７ｃに係止しているため、光源ユニット１４では、ランプハウス３８に対するフランジ付ランプ２６の正確な位置決め状態を確実に保持することができる。
【００６４】
さらに、フランジ付ランプ２６をランプハウス３８に装着するときおよびランプハウス３８から取り外すときは、位置決めピン１８ａ，１８ｂ、１８ｃと突起係合部３５，３７、３６とを目視で確認しながら行えるから位置合わせは手間取らないし、キャップ部材のような他の部材を必要としないので、フランジ付ランプ２６の交換作業を簡単に行うことができる。
【００６５】
そのうえ、光源ユニット１４の場合、ばね部材４０がフランジ付ランプ２６に遊嵌され、位置決めフランジ１５や放電管１０とともにフランジ付ランプ２６を構成しているので、フランジ付ランプ２６を交換することによって、ばね部材４０も一緒に交換することができる。
【００６６】
前述した光源ユニット４の場合、フランジ付ランプ２５の交換を繰り返すことによって、中に組み込まれているばね部材４０の凹凸の大きさが小さくなり、所望の付勢力が得られなくなるおそれがある。その場合、ばね部材４０を交換する必要が生じるが、ばね部材４０は、フランジ付ランプ２５とは別体となってランプハウス３０の中に組み込まれているので、フランジ付ランプ２５とは別に交換しなければならない。しかしながら、光源ユニット１４の場合、フランジ付ランプ２６を交換することによってばね部材４０も一緒に交換することができ、ばね部材４０の交換が簡単に行えるようになっている。
【００６７】
（変形例）
図２３は別の光源ユニット５０を示す正面図である。光源ユニット５０は前述したフランジ付ランプ２６と、ランプハウス４８とを有している。ランプハウス４８はフランジ保持部３３と、フランジ保持部３３が固定されるベース部材４５と、反射ミラー４６と、ベース部材４５と反射ミラー４６を保持する保持部材４７とを有している。反射ミラー４６は、例えば楕円集光ミラーなどの所定形状を有し、その内面を反射面とするミラーから構成される。反射ミラー４６は、出射開口部を介して外部に出力されるよう、放電管１０から放射される光（例えばＵＶ光）を反射させるものである。
【００６８】
この光源ユニット５０でも、フランジ付ランプ２６のフランジ保持部３３への着脱は、前述した光源ユニット１４と同様にして行うことができる。
【００６９】
上記各実施の形態では、３本の位置決めピン１８ａ，１８ｂ、１８ｃを有する位置決めフランジ１５を例にとって説明しているが、位置決めピンは複数あればよく、２本でもよい。例えば、図２２に示す位置決めフランジ５５のように、首部１６の中心軸を挟んで対向する位置に位置決めピン１８ａ，１８ｂを１本ずつ、合わせて２本だけ設けてもよい。この場合、位置決めピン１８ａ，１８ｂの太さを変えておき、フランジ保持部についても、位置決めピン１８ａ，１８ｂに対応して大きさを異ならせた突起係合部を設けておく。こうすることで、上下左右および周方向の位置決めを正確にかつ精度よく行うことができる。さらに、３本の位置決めピン１８ａ，１８ｂ、１８ｃは、位置決めピン１８ｂのみ太さが異なるが、３本すべての太さを変えてもよい。
【００７０】
また、各実施の形態では、放電管に封入する不活性ガスとしてキセノンガスを封入したキセノンランプを例にとって説明しているが、不活性ガスとしてクリプトンガスやアルゴンガスを用いてもよい。また、放電管として水銀を封入した水銀ランプ（水銀キセノンランプ）、金属ハロゲン化物を封入したメタルハライドランプでもよい。
【００７１】
さらに、上記各実施の形態では、ランプハウス３０の前面３１ａの中央に出射口３２を設けているが、出射口は、左側面３１ｂ、右側面３１ｃおよび後面３１ｅのすべてに設けてもよいし、これらのいずれか少なくとも１つに設けても良い。この場合、突起部１９がランプハウス３０の角部に位置するようにし、それぞれの出射口３２を向かないようにして放電管を位置決めする。
【図面の簡単な説明】
【００７２】
【図１】本発明の第１の実施形態に係る光源装置のカバーを取り外した状態の斜視図である。
【図２】第１の実施形態に係るフランジ付ランプの正面図である。
【図３】第１の実施形態に係るランプハウスの正面図である。
【図４】第１の実施形態に係る位置決めフランジの斜視図である。
【図５】同じく底面図である。
【図６】同じく、図４のＶＩ−ＶＩ線断面図である。
【図７】同じく、図８のＶＩＩ−ＶＩＩ線断面図である。
【図８】第１の実施形態に係るフランジ保持部の斜視図である。
【図９】同じく平面図である。
【図１０】（ａ）は位置決めピン１８ｂを突起係合部３７に挿入し始めたときの状態、（ｂ）は鍔部１７から指を離したときの状態、（ｃ）は位置決めピン１８ｂが第２の案内路３７ｂの奥側に進んだときの状態、（ｄ）は位置決めピン１８ｂが突起係止部３７ｃの円弧状係止面に押し付けられた状態を示す図である。
【図１１】第１の実施形態に係るフランジ付ランプをランプハウスに装着した状態の光源ユニットを示す正面図である。
【図１２】第２の実施形態に係るフランジ付ランプの正面図である。
【図１３】第２の実施形態に係るランプハウスの正面図である。
【図１４】第２の実施形態に係る位置決めフランジの斜視図である。
【図１５】同じく底面図である。
【図１６】同じく、図１４のＸＶＩ−ＸＶＩ線断面図である。
【図１７】第２の実施形態に係るフランジ保持部の斜視図である。
【図１８】同じく平面図である。
【図１９】適正位置合わせを行った後、鍔部から指を離したときの位置決めフランジおよびフランジ保持部を示す正面図である。
【図２０】位置決めピンが円弧状係止面に係止したときの位置決めフランジおよびフランジ保持部を示す正面図である。
【図２１】第２の実施形態に係るフランジ付ランプをランプハウスに装着した状態の光源ユニットを示す正面図である。
【図２２】変形例に係る位置決めフランジの底面図である。
【図２３】変形例に係る光源ユニットの正面図である。
【符号の説明】
【００７３】
１…光源装置、２…ハウジング、４、１４、５０…光源ユニット、１０…放電管、１５…位置決めフランジ、１６…首部、１７…鍔部、１７ａ…周側面、１８ａ，１８ａ，１８ｃ…位置決めピン、２５、２６…フランジ付きランプ、３０…ランプハウス、
３３…フランジ保持部、３５，３６，３７…突起係合部、３７ａ…第１の案内路、３７ｂ…第２の案内路、３７ｃ…突起係止部、４０…ばね部材。
【図１】
2010086795.tif 000003
【図２】
2010086795.tif 000004
【図３】
2010086795.tif 000005
【図４】
2010086795.tif 000006
【図５】
2010086795.tif 000007
【図６】
2010086795.tif 000008
【図７】
2010086795.tif 000009
【図８】
2010086795.tif 000010
【図９】
2010086795.tif 000011
【図１０】
2010086795.tif 000012
【図１１】
2010086795.tif 000013
【図１２】
2010086795.tif 000014
【図１３】
2010086795.tif 000015
【図１４】
2010086795.tif 000016
【図１５】
2010086795.tif 000017
【図１６】
2010086795.tif 000018
【図１７】
2010086795.tif 000019
【図１８】
2010086795.tif 000020
【図１９】
2010086795.tif 000021
【図２０】
2010086795.tif 000022
【図２１】
2010086795.tif 000023
【図２２】
2010086795.tif 000024
【図２３】
2010086795.tif 000025